【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
無線通信ネットワーク内の無線通信デバイスの順方向エラー訂正（Ｆｏｒｗａｒｄ  Ｅｒｒｏｒ  Ｃｏｒｒｅｃｔｉｏｎ：ＦＥＣ）を行う方法において、
性能交換中に応用階層順方向エラー訂正（Ａｐｐｌｉｃａｔｉｏｎ  Ｆｏｒｗａｒｄ  Ｅｒｒｏｒ  Ｃｏｒｒｅｃｔｉｏｎ：ＡＬ−ＦＥＣ）性能情報を伝送する段階と、
各パリティパケットのヘッダは、パリティパケット指示子を備え、ソースパケット及び少なくとも一つのパリティパケットのためにシステマティックパケットをエンコーディングするために、ｋ個の前記ソースパケットの集合に単一パリティ検査（Ｓｉｎｇｌｅ  Ｐａｒｉｔｙ  Ｃｈｅｃｋ：ＳＰＣ）ＡＬ−ＦＥＣコードを適用する段階と、
メディア接続制御（Ｍｅｄｉａ  Ａｃｃｅｓｓ  Ｃｏｎｔｒｏｌ：ＭＡＣ）階層及び物理（Ｐｈｙｓｉｃａｌ：ＰＨＹ）階層で、送信のために前記エンコーディングされたパケットを処理する段階と、を含むことを特徴とする無線通信デバイスのＦＥＣ実行方法。
【請求項２】
前記ＳＰＣ  ＡＬ−ＦＥＣコードは、
非インターリーブされたモード及びインターリーブされたモードのうち一つを含むことを特徴とする請求項１に記載の無線通信デバイスのＦＥＣ実行方法。
【請求項３】
前記非インターリーブされたモードで前記ＳＰＣ  ＡＬ−ＦＥＣコードを適用する時、前記システマティックパケット及び少なくとも一つのパリティパケットをエンコーディングすることは、
一つのパリティパケットのためにシーケンス番号ｉを生成する段階と、
前記ｋ個のソースパケットのためにシーケンス番号ｉ＋１、ｉ＋２、…、ｉ＋ｋを生成する段階と、
前記シーケンス番号ｉである前記パリティパケットのペイロードを計算するために、短いソースパケットには臨時的に送信されない仮想の０を付け加え、前記ｋソースパケットにビット単位排他的論理和（Ａ  ｂｉｔ−ｗｉｓｅ  ＸＯＲ）を行う段階と、を含み、
前記パリティパケットのための前記シーケンス番号は前記パリティパケットの前記ヘッダ内に含まれ、前記ｋソースパケットのための前記シーケンス番号は、対応するシステマティックパケットの前記ヘッダ内に含まれることを特徴とする請求項２に記載の無線通信デバイスのＦＥＣ実行方法。
【請求項４】
ソースパケットのｘ個の部分集合を持つ前記インターリーブされたモードで前記ＳＰＣ  ＡＬ−ＦＥＣコードを適用する時、前記システマティックパケット及び前記少なくとも一つのパリティパケットのエンコーディングは、
各パリティパケットは、ソースパケットのｘ個の部分集合のうち一つに対応し、ｘ個のパリティパケットのためにシーケンス番号ｉ、ｉ＋１、ｉ＋２…、ｉ＋（ｘ−１）を生成する段階と、
前記ｋ個のソースパケットのためにシーケンス番号ｉ＋１、ｉ＋２…、ｉ＋ｋを生成する段階と、
連続的なシーケンス番号を持つソースパケットが他の部分集合に割り当てられるように、前記ｘ個の部分集合にかけて前記ｋ個のソースパケットをインターリブする段階と、
短いソースパケットには臨時的に送信されない仮想の０を付け加え、前記対応するソースパケットの部分集合にビット単位排他的論理和を行うことで各パリティパケットのペイロードを計算する段階と、を含み、
前記パリティパケットに対するシーケンスナンバーは、前記対応するパリティパケットに対する前記ヘッダに含まれ、前記ｋ個のソースパケットのための前記シーケンス番号は、対応するシステマティックパケットのためのヘッダ内に含まれていることを特徴とする請求項２に記載の無線通信デバイスのＦＥＣ実行方法。
【請求項５】
前記ソースパケット及び少なくとも一つのパリティパケットのためにシステマティックパケットをエンコーディングする段階は、
前記ＳＰＣ  ＡＬ−ＦＥＣコードと結合してハミングＡＬ−ＦＥＣコードを行うことを特徴とする請求項１に記載の無線通信デバイスのＦＥＣ実行方法。
【請求項６】
システマティックパケット及び修理パケットのうち少なくとも一つを含むパケットブロックを受信する段階と、
前記受信されたパケットブロック内に少なくとも一つのパケットが消失したかどうかを判断する段階と、
少なくとも一つのパケットが消失した場合、各受信されたパケット内の前記パリティパケット指示子を検査することで、前記受信されたパケットがＡＬ−ＦＥＣエンコーディングされたかどうかを判断する段階と、
前記ＡＬ−ＦＥＣコードが感知された場合、前記少なくとも１個の消失したパケットが復旧されるかどうかを判断する段階と、
前記少なくとも１個の消失したパケットが復旧されるかどうかの判断に対する対応として、前記受信されたシステマティック及び修理パケットを使ってＡＬ−ＦＥＣデコーディングを行う段階と、をさらに含むことを特徴とする請求項１に記載の無線通信デバイスのＦＥＣ実行方法。
【請求項７】
前記受信されたパケットがＡＬ−ＦＥＣエンコーディングされたかどうかを判断する段階は、
受信されたパリティパケットの数字に基づいて、前記受信されたパケットがインターリーブされたかどうかを定める段階をさらに含むことを特徴とする請求項６に記載の無線通信デバイスのＦＥＣ実行方法。
【請求項８】
無線通信ネットワーク内の無線通信デバイスの順方向エラー訂正（ＦＥＣ）を行うための装置において、
他の通信デバイスと通信するために設定された送信器と、
性能交換中に、応用階層順方向エラー訂正（ＡＬ−ＦＥＣ）性能情報を伝送し、
ソースパケット及び少なくとも一つのパリティパケットのためにシステマティックパケットをエンコーディングするために、ｋ個の前記ソースパケットの集合に単一パリティ検査（ＳＰＣ）ＡＬ−ＦＥＣコードを適用し、各エンコーディングされたパケットのヘッダは、パリティパケット指示子を備え、
メディア接続制御（ＭＡＣ）階層及び物理（ＰＨＹ）階層で、送信のために前記エンコーディングされたパケットを処理するように設定され、前記送信器と結合されたコントローラを備えることを特徴とするＦＥＣを行うための装置。
【請求項９】
前記ＳＰＣ  ＡＬ−ＦＥＣコードは、非インターリーブされたモード及びインターリーブされたモードのうち一つを含むことを特徴とする請求項８に記載の無線通信装置でのＦＥＣを行うための装置。
【請求項１０】
前記非インターリーブされたモードで前記ＳＰＣ  ＡＬ−ＦＥＣコードを適用する時、前記コントローラは、
一つのパリティパケットのためにシーケンス番号ｉを生成し、
前記ｋ個のソースパケットのためにシーケンス番号ｉ＋１、ｉ＋２、…、ｉ＋ｋを生成し、
前記シーケンス番号ｉである前記パリティパケットのペイロードを計算するために、短いソースパケットには臨時的に送信されない仮想の０を付け加え、前記ｋソースパケットにビット単位排他的論理和を行い、
前記パリティパケットのための前記シーケンス番号は前記パリティパケットの前記ヘッダ内に含まれ、前記ｋソースパケットのための前記シーケンス番号は、前記対応するシステマティックパケットの前記ヘッダ内に含まれるようにさらに設定されたことを特徴とする請求項９に記載のＦＥＣを行うための装置。
【請求項１１】
ソースパケットのｘ個の部分集合を持つ前記インターリーブされたモードで前記ＳＰＣ  ＡＬ−ＦＥＣコードを適用する時、前記コントローラは、
各パリティパケットはソースパケットのｘ個の部分集合のうち一つに対応し、ｘ個のパリティパケットのためにシーケンス番号ｉ、ｉ＋１、ｉ＋２…、ｉ＋（ｘ−１）を生成し、
前記ｋ個のソースパケットのためにシーケンス番号ｉ＋１、ｉ＋２…、ｉ＋ｋを生成し、
連続的なシーケンス番号を持つソースパケットが他の部分集合に割り当てられるように、ｘ個の部分集合にかけて前記ｋ個のソースパケットをインターリーブし、
短いソースパケットには、臨時的に送信されない仮想の０を付け加え、前記対応するソースパケットの部分集合にビット単位排他的論理和を行うことで各パリティパケットのペイロードを計算し、
前記パリティパケットのための前記シーケンス番号は、前記対応するパリティパケットの前記ヘッダ内に含まれ、前記ｋソースパケットのための前記シーケンス番号は、前記対応するシステマティックパケットの前記ヘッダ内に含まれるようにさらに設定されることを特徴とする請求項９に記載のＦＥＣを行うための装置。
【請求項１２】
前記コントローラは、
前記ソースパケット及び前記少なくとも一つのパリティパケットのために前記システマティックパケットをエンコーディングする時、前記ＳＰＣ  ＡＬ−ＦＥＣコードと結合してハミングＡＬ−ＦＥＣコードを行うようにさらに設定されることを特徴とする請求項８に記載のＦＥＣを行うための装置。
【請求項１３】
前記コントローラは、
システマティックパケット及び修理パケットのうち少なくとも一つを備えるパケットブロックを受信し、
受信されたパケットブロック内に少なくとも一つのパケットが消失したかどうかを判断し、
いずれかのパケットが消失した場合、各受信されたパケット内の前記パリティパケット指示子を検査することで、前記受信されたパケットがＡＬ−ＦＥＣエンコーディングされたかどうかを判断し、
前記ＡＬ−ＦＥＣコードが感知された場合、前記消失したパケットが復旧されるかどうかを判断し、
前記消失したパケットが復旧されるかどうかの判断に対する対応でとして、前記受信されたシステマティック及び修理パケットを使ってＡＬ−ＦＥＣデコーディングを行うようにさらに設定されたことを特徴とする請求項８に記載のＦＥＣを行うための装置。
【請求項１４】
前記コントローラは、
前記受信されたパケットがＡＬ−ＦＥＣエンコーディングされたかどうかを判断する時に受信されたパリティパケットの数字に基づいて、前記受信されたパケットがインターリーブされたかどうかを定めるようにさらに設定されることを特徴とする請求項１３に記載のＦＥＣを行うための装置。